(57)【要約】【課題】本発明は複数ページの電子文書の任意のページに簡単かつ容易にページめくりを行うページめくり装置を提供する。【解決手段】電子文書装置１は、複数ページからなる文書情報を、複数のプッシュ式ボタン４〜７の押下に基づいて、表示部３に表示するが、複数のボタン４〜７に電子文書の任意のページ番号を関連付け、ボタン４〜７が押下されると、当該ボタン４〜７に関連付けられているページ番号のページを表示部３に表示する。したがって、電子文書のページを利用者の意図するページに速やかにかつ簡単にジャンプして表示することができる。【選択図】　　　　　図１
2004054423.tif 000002
【特許請求の範囲】
【請求項１】
複数ページからなる文書情報を表示する表示部と、複数のプッシュ式ボタンと、を備え、前記ボタンの押下に基づいて前記表示部に表示する前記文書情報のページめくりを行うページめくり装置であって、前記複数のボタンに前記電子文書の任意のページ番号を関連付け、前記ボタンが押下されると、当該ボタンに関連付けられている前記ページ番号のページを前記表示部に表示することを特徴とするページめくり装置。
【請求項２】
前記ページめくり装置は、前記ボタンの総数と前記電子文書の総ページ数とを相対的に対応させて、前記複数のボタンに前記電子文書のページ番号を関連付けることを特徴とする請求項１記載のページめくり装置。
【請求項３】
前記各ボタンは、押下されることで、発光する機能を有していることを特徴とする請求項１または請求項２記載のページめくり装置。
【請求項４】
前記ページめくり装置は、前記複数のボタンのうち任意のボタンに、前記電子文書を１ページずつめくる１ページめくり機能が割り付けられていることを特徴とする請求項１から請求項３のいずれかに記載のページめくり装置。
【請求項５】
前記ページめくり装置は、前記複数のボタンのうち任意のボタンに、前記表示部に表示されているページに対して、付箋を付与する付箋付与機能が割り付けられていることを特徴とする請求項１から請求項４のいずれかに記載のページめくり装置。
【請求項６】
前記ページめくり装置は、前記複数のボタンのうち任意のボタンに、前記付箋の付与されているページを前記表示部に表示させる付箋付与ページ表示機能が割り付けられていることを特徴とする請求項５記載のページめくり装置。
【請求項７】
前記ページめくり装置は、前記付箋付与機能の割り付けられている前記ボタンに、前記付箋の付与されているページから当該付箋を取り外す付箋取り外し機能も割り付けられており、当該ボタンが押下されると、前記表示部に表示されているページに対して、付箋の付与と取り外しを交互に行うことを特徴とする請求項５または請求項６記載のページめくり装置。
【請求項８】
複数ページからなる文書情報を表示する表示部と、複数の回転位置を有するダイヤルと、を備え、前記ダイヤルの回転に基づいて前記表示部に表示する前記文書情報のページめくりを行うページめくり装置であって、前記ダイヤルの複数の回転位置に前記電子文書の任意のページ番号を関連付け、前記ダイヤルが回転されると、当該ダイヤルの回転位置に関連付けられている前記ページ番号のページを前記表示部に表示することを特徴とするページめくり装置。
【請求項９】
前記ページめくり装置は、前記ダイヤルの回転位置の総数と前記電子文書の総ページ数とを相対的に対応させて、前記ダイヤルの複数の回転位置に前記電子文書のページ番号を関連付けることを特徴とする請求項８記載のページめくり装置。
【請求項１０】
前記ページめくり装置は、前記ダイヤルが、所定方向に押下可能であり、当該ダイヤルの押下操作に対して、前記表示部に表示されているページに付箋を付与する付箋付与機能が割り付けられていることを特徴とする請求項８または請求項９記載のページめくり装置。
【請求項１１】
前記ページめくり装置は、前記付箋付与機能の割り付けられている前記ダイヤルの所定の押下操作に対して、前記付箋の付与されているページを前記表示部に表示させる付箋付与ページ表示機能が割り付けられていることを特徴とする請求項１０記載のページめくり装置。
【請求項１２】
前記ページめくり装置は、前記付箋付与機能の割り付けられている前記ダイヤルの押下操作に対して、前記付箋の付与されているページから当該付箋を取り外す付箋取り外し機能も割り付けられており、当該ダイヤルの押下操作が行われると、前記表示部に表示されているページに対して、付箋の付与と取り外しを交互に行うことを特徴とする請求項１０または請求項１１記載のページめくり装置。
【請求項１３】
前記ページめくり装置は、所定の音声発生手段を備え、先頭ページを前記表示部に表示すると、所定の通知音を前記音声発生手段に発生させることを特徴とする請求項１から請求項１２のいずれかに記載のページめくり装置。
【請求項１４】
前記ページめくり装置は、所定の音声発生手段を備え、最終ページを前記表示部に表示すると、所定の通知音を前記音声発生手段に発生させることを特徴とする請求項１から請求項１３のいずれかに記載のページめくり装置。
【発明の詳細な説明】
【０００１】
【発明の属する技術分野】
本発明は、ページめくり装置に関し、詳細には、複数ページの電子文書の任意のページに簡単かつ容易にページめくりを行うページめくり装置に関する。
【０００２】
【従来の技術】
近年、コンピュータ等の情報処理装置で文書作成することが多くなってきており、また、ＰＤＡ（携帯情報端末）や携帯電話装置等の小型の携帯端末が広く普及してきている。
【０００３】
このような情報処理装置において、複数ページからなる文書情報を表示すると、ページのめくりを伴う情報の位置決め操作が必要となる。
【０００４】
このような従来技術としては、例えば、実用新案登録第３０８１３９２号公報に記載されたテンキーをスクロールボタン化できる携帯電話機がある。この従来技術は、携帯電話機に、２次元配列した携帯電話操作キーの複数に跨がって着脱可能なカーソル操作部材代替物を装着し、装着されたカーソル操作部材代替物の適所押圧によって、カーソル移動属性を付与した携帯電話操作キーのいずれかを押圧操作可能とすべく携帯電話操作キーの複数に跨がって窪み部を設けている。
【０００５】
このように、従来技術は、図１０に示すように、文書情報が、表示部のＸ方向とＹ方向の２次元の座標上に位置して、Ｙ方向に次ページが存在するものとして、この２次元の座標上に対するカーソル位置決めを、図１０に示すように、タッチパネルやマウス等のポインティングディバイスを用いて行うものであり、また、ホイールを備えたマウスを用いた位置決めも、Ｙ方向の延長上に、カーソルの位置決めを行うものである。
【０００６】
【発明が解決しようとする課題】
しかしながら、このような従来技術にあっては、タッチパッドやマウス等のポインティングデバイスを用いて表示部に表示されている文書での２次元のカーソル位置を決定するという概念であるため、例えば、マウスで複数ページの文書の「ページをめくる」という操作を行う場合、まず、マウス操作により、カーソルを垂直スクロールバーに移動させ、その後、マウス操作により、垂直スクロールバーのタブを上下方向へ移動させてページを見開くという２段階の操作を行うことになる。
【０００７】
したがって、スクロールやカーソル移動といった操作では、電子文書のページをめくる機能として利用することはできるが、紙文書のページを手でめくる操作性に比較して、ページめくり操作が面倒であり、操作性が悪いという問題があった。また、現在開いているページから次に開きたいページが複数ページ離れている場合には、このページの間をスクロールさせる必要があり、利用性が悪いという問題があった。
【０００８】
そこで、請求項１記載の発明は、複数ページからなる文書情報を、複数のプッシュ式ボタンの押下に基づいて、表示部に表示するに際して、複数のボタンに電子文書の任意のページ番号を関連付け、ボタンが押下されると、当該ボタンに関連付けられているページ番号のページを表示部に表示することにより、新たにページめくり用のボタンを設けることなく、既存のボタンを利用して、電子文書のページを利用者の意図するページに速やかにかつ簡単にジャンプして表示させ、安価で利用性の良好なページめくり装置を提供することを目的としている。
【０００９】
請求項２記載の発明は、ボタンの総数と電子文書の総ページ数とを相対的に対応させて、複数のボタンに電子文書のページ番号を関連付けることにより、電子文書の総ページに対して、「先頭付近」、「中間付近」、「後方付近」といった相対的なページ位置を表させ、紙文書に対する手作業の「見開き」的な操作を可能として、より一層利用性の良好なページめくり装置を提供することを目的としている。
【００１０】
請求項３記載の発明は、各ボタンに、押下されることで、発光する機能を持たせることにより、電子文書の総ページ数に対して、現在見開いている位置を発光するボタンで識別できるようにし、より一層利用性の良好なページめくり装置を提供することを目的としている。
【００１１】
請求項４記載の発明は、複数のボタンのうち任意のボタンに、電子文書を１ページずつめくる１ページめくり機能を割り付けることにより、電子文書のページを大ざっぱに見開いた後に、ページ単位に順次ページをめくることができるようにし、より一層利用性の良好なページめくり装置を提供することを目的としている。
【００１２】
請求項５載の発明は、複数のボタンのうち任意のボタンに、表示部に表示されているページに対して、付箋を付与する付箋付与機能を割り付けることにより、本のページに付箋紙を貼り付ける感覚で、電子文書の印象に残ったページや重要度の高いページに付箋を付与して保管できるようにし、より一層利用性の良好なページめくり装置を提供することを目的としている。
【００１３】
請求項６記載の発明は、複数のボタンのうち任意のボタンに、付箋の付与されているページを表示部に表示させる付箋付与ページ表示機能を割り付けることにより、付箋を付けた印象に残ったページや重要度の高いページに効率的にかつ速やかにジャンプして表示し、より一層利用性の良好なページめくり装置を提供することを目的としている。
【００１４】
請求項７記載の発明は、付箋付与機能の割り付けられているボタンに、付箋の付与されているページから当該付箋を取り外す付箋取り外し機能も割り付け、当該ボタンが押下されると、表示部に表示されているページに対して、付箋の付与と取り外しを交互に行うことにより、付箋の数に制限がある場合に、個数に限りのある付箋を効率よく使用できるようにするとともに、１つのボタンを付箋用として覚えて操作することで付箋の貼り付けと取り外しを行えるようにして、作業性を向上させ、より一層利用性の良好なページめくり装置を提供することを目的としている。
【００１５】
請求項８記載の発明は、複数ページからなる文書情報を、複数の回転位置を有するダイヤルの回転に基づいて、表示部に表示するに際して、ダイヤルの複数の回転位置に電子文書の任意のページ番号を関連付け、ダイヤルが回転されると、当該ダイヤルの回転位置に関連付けられているページ番号のページを表示部に表示することにより、新たにページめくり用のダイヤルを設けることなく、既存のジョグダイヤル等を利用して、電子文書のページを利用者の意図するページに速やかにかつ簡単にジャンプして表示させ、安価で利用性の良好なページめくり装置を提供することを目的としている。
【００１６】
請求項９記載の発明は、ダイヤルの回転位置の総数と電子文書の総ページ数とを相対的に対応させて、ダイヤルの複数の回転位置に電子文書のページ番号を関連付けることにより、電子文書の総ページに対して、「先頭付近」、「中間付近」、「後方付近」といった相対的なページ位置を表させ、紙文書に対する手作業の「見開き」的な操作を可能として、より一層利用性の良好なページめくり装置を提供することを目的としている。
【００１７】
請求項１０記載の発明は、ダイヤルを、所定方向に押下可能とし、当該ダイヤルの押下操作に対して、表示部に表示されているページに付箋を付与する付箋付与機能が割り付けることにより、本のページに付箋紙を貼り付ける感覚で、電子文書の印象に残ったページや重要度の高いページに付箋を付与して保管できるようにし、より一層利用性の良好なページめくり装置を提供することを目的としている。
【００１８】
請求項１１記載の発明は、付箋付与機能の割り付けられているダイヤルの所定の押下操作に対して、付箋の付与されているページを表示部に表示させる付箋付与ページ表示機能を割り付けることにより、付箋を付けた印象に残ったページや重要度の高いページに効率的にかつ速やかにジャンプして表示し、より一層利用性の良好なページめくり装置を提供することを目的としている。
【００１９】
請求項１２記載の発明は、付箋付与機能の割り付けられているダイヤルの押下操作に対して、付箋の付与されているページから当該付箋を取り外す付箋取り外し機能も割り付け、当該ダイヤルの押下操作が行われると、表示部に表示されているページに対して、付箋の付与と取り外しを交互に行うことにより、付箋の数に制限がある場合に、個数に限りのある付箋を効率よく使用できるようにするとともに、ダイヤル押下操作を覚えて操作することで付箋の貼り付けと取り外しを行えるようにして、作業性を向上させ、より一層利用性の良好なページめくり装置を提供することを目的としている。
【００２０】
請求項１３記載の発明は、先頭ページを表示部に表示すると、所定の通知音を音声発生手段に発生させることにより、紙の本や書類のように先頭ページが分かり難い電子文書で、先頭ページを表示したことが容易に分かるようにし、特に、物理的に先端／後端のない円運動を行うダイヤルを用いている場合にも、論理的に先端（先頭ページ）が容易に分かるようにし、より一層ページめくり操作を向上させることのできるページめくり装置を提供することを目的としている。
【００２１】
請求項１４記載の発明は、最終ページを表示部に表示すると、所定の通知音を音声発生手段に発生させることにより、紙の本や書類のように最終ページが分かり難い電子文書で、最終ページを表示したことが容易に分かるようにし、特に、物理的に先端／後端のない円運動を行うダイヤルを用いている場合にも、論理的に後端（最終ページ）が容易に分かるようにし、より一層ページめくり操作を向上させることのできるページめくり装置を提供することを目的としている。
【００２２】
【課題を解決するための手段】
請求項１記載の発明のページめくり装置は、複数ページからなる文書情報を表示する表示部と、複数のプッシュ式ボタンと、を備え、前記ボタンの押下に基づいて前記表示部に表示する前記文書情報のページめくりを行うページめくり装置であって、前記複数のボタンに前記電子文書の任意のページ番号を関連付け、前記ボタンが押下されると、当該ボタンに関連付けられている前記ページ番号のページを前記表示部に表示することにより、上記目的を達成している。
【００２３】
上記構成によれば、複数ページからなる文書情報を、複数のプッシュ式ボタンの押下に基づいて、表示部に表示するに際して、複数のボタンに電子文書の任意のページ番号を関連付け、ボタンが押下されると、当該ボタンに関連付けられているページ番号のページを表示部に表示するので、新たにページめくり用のボタンを設けることなく、既存のボタンを利用して、電子文書のページを利用者の意図するページに速やかにかつ簡単にジャンプして表示させることができ、安価に利用性を向上させることができる。
【００２４】
この場合、例えば、請求項２に記載するように、前記ページめくり装置は、前記ボタンの総数と前記電子文書の総ページ数とを相対的に対応させて、前記複数のボタンに前記電子文書のページ番号を関連付けるものであってもよい。
【００２５】
上記構成によれば、ボタンの総数と電子文書の総ページ数とを相対的に対応させて、複数のボタンに電子文書のページ番号を関連付けるので、電子文書の総ページに対して、「先頭付近」、「中間付近」、「後方付近」といった相対的なページ位置を表させることができ、紙文書に対する手作業の「見開き」的な操作を可能として、利用性をより一層向上させることができる。
【００２６】
また、例えば、請求項３に記載するように、前記各ボタンは、押下されることで、発光する機能を有しているものであってもよい。
【００２７】
上記構成によれば、各ボタンに、押下されることで、発光する機能を持たせているので、電子文書の総ページ数に対して、現在見開いている位置を発光するボタンで識別することができ、利用性をより一層向上させることができる。
【００２８】
さらに、例えば、請求項４に記載するように、前記ページめくり装置は、前記複数のボタンのうち任意のボタンに、前記電子文書を１ページずつめくる１ページめくり機能が割り付けられていてもよい。
【００２９】
上記構成によれば、複数のボタンのうち任意のボタンに、電子文書を１ページずつめくる１ページめくり機能を割り付けるので、電子文書のページを大ざっぱに見開いた後に、ページ単位に順次ページをめくることができ、利用性をより一層向上させることができる。
【００３０】
また、例えば、請求項５に記載するように、前記ページめくり装置は、前記複数のボタンのうち任意のボタンに、前記表示部に表示されているページに対して、付箋を付与する付箋付与機能が割り付けられていてもよい。
【００３１】
上記構成によれば、複数のボタンのうち任意のボタンに、表示部に表示されているページに対して、付箋を付与する付箋付与機能を割り付けているので、本のページに付箋紙を貼り付ける感覚で、電子文書の印象に残ったページや重要度の高いページに付箋を付与して保管することができ、利用性をより一層向上させることができる。
【００３２】
さらに、例えば、請求項６に記載するように、前記ページめくり装置は、前記複数のボタンのうち任意のボタンに、前記付箋の付与されているページを前記表示部に表示させる付箋付与ページ表示機能が割り付けられていてもよい。
【００３３】
上記構成によれば、複数のボタンのうち任意のボタンに、付箋の付与されているページを表示部に表示させる付箋付与ページ表示機能を割り付けているので、付箋を付けた印象に残ったページや重要度の高いページに効率的にかつ速やかにジャンプして表示することができ、利用性をより一層向上させることができる。
【００３４】
また、例えば、請求項７に記載するように、前記ページめくり装置は、前記付箋付与機能の割り付けられている前記ボタンに、前記付箋の付与されているページから当該付箋を取り外す付箋取り外し機能も割り付けられており、当該ボタンが押下されると、前記表示部に表示されているページに対して、付箋の付与と取り外しを交互に行ってもよい。
【００３５】
上記構成によれば、付箋付与機能の割り付けられているボタンに、付箋の付与されているページから当該付箋を取り外す付箋取り外し機能も割り付け、当該ボタンが押下されると、表示部に表示されているページに対して、付箋の付与と取り外しを交互に行うので、付箋の数に制限がある場合に、個数に限りのある付箋を効率よく使用することができるとともに、１つのボタンを付箋用として覚えて操作することで付箋の貼り付けと取り外しを行えるようにして、作業性を向上させることができ、利用性をより一層向上させることができる。
【００３６】
請求項８記載の発明のページめくり装置は、複数ページからなる文書情報を表示する表示部と、複数の回転位置を有するダイヤルと、を備え、前記ダイヤルの回転に基づいて前記表示部に表示する前記文書情報のページめくりを行うページめくり装置であって、前記ダイヤルの複数の回転位置に前記電子文書の任意のページ番号を関連付け、前記ダイヤルが回転されると、当該ダイヤルの回転位置に関連付けられている前記ページ番号のページを前記表示部に表示することにより、上記目的を達成している。
【００３７】
上記構成によれば、複数ページからなる文書情報を、複数の回転位置を有するダイヤルの回転に基づいて、表示部に表示するに際して、ダイヤルの複数の回転位置に電子文書の任意のページ番号を関連付け、ダイヤルが回転されると、当該ダイヤルの回転位置に関連付けられているページ番号のページを表示部に表示するので、新たにページめくり用のダイヤルを設けることなく、既存のジョグダイヤル等を利用して、電子文書のページを利用者の意図するページに速やかにかつ簡単にジャンプして表示させることができ、安価に利用性を向上させることができる。
【００３８】
この場合、例えば、請求項９に記載するように、前記ページめくり装置は、前記ダイヤルの回転位置の総数と前記電子文書の総ページ数とを相対的に対応させて、前記ダイヤルの複数の回転位置に前記電子文書のページ番号を関連付けるものであってもよい。ことを特徴とする請求項８記載のページめくり装置。
【００３９】
上記構成によれば、ダイヤルの回転位置の総数と電子文書の総ページ数とを相対的に対応させて、ダイヤルの複数の回転位置に電子文書のページ番号を関連付けているので、電子文書の総ページに対して、「先頭付近」、「中間付近」、「後方付近」といった相対的なページ位置を表させることができ、紙文書に対する手作業の「見開き」的な操作を可能として、利用性をより一層向上させることができる。
【００４０】
また、例えば、請求項１０に記載するように、前記ページめくり装置は、前記ダイヤルが、所定方向に押下可能であり、当該ダイヤルの押下操作に対して、前記表示部に表示されているページに付箋を付与する付箋付与機能が割り付けられていてもよい。
【００４１】
上記構成によれば、ダイヤルを、所定方向に押下可能とし、当該ダイヤルの押下操作に対して、表示部に表示されているページに付箋を付与する付箋付与機能が割り付けているので、本のページに付箋紙を貼り付ける感覚で、電子文書の印象に残ったページや重要度の高いページに付箋を付与して保管することができ、利用性をより一層向上させることができる。
【００４２】
さらに、例えば、請求項１１に記載するように、前記ページめくり装置は、前記付箋付与機能の割り付けられている前記ダイヤルの所定の押下操作に対して、前記付箋の付与されているページを前記表示部に表示させる付箋付与ページ表示機能が割り付けられていてもよい。
【００４３】
上記構成によれば、付箋付与機能の割り付けられているダイヤルの所定の押下操作に対して、付箋の付与されているページを表示部に表示させる付箋付与ページ表示機能を割り付けているので、付箋を付けた印象に残ったページや重要度の高いページに効率的にかつ速やかにジャンプして表示することができ、利用性をより一層向上させることができる。
【００４４】
また、例えば、請求項１２に記載するように、前記ページめくり装置は、前記付箋付与機能の割り付けられている前記ダイヤルの押下操作に対して、前記付箋の付与されているページから当該付箋を取り外す付箋取り外し機能も割り付けられており、当該ダイヤルの押下操作が行われると、前記表示部に表示されているページに対して、付箋の付与と取り外しを交互に行ってもよい。
【００４５】
上記構成によれば、付箋付与機能の割り付けられているダイヤルの押下操作に対して、付箋の付与されているページから当該付箋を取り外す付箋取り外し機能も割り付け、当該ダイヤルの押下操作が行われると、表示部に表示されているページに対して、付箋の付与と取り外しを交互に行うので、付箋の数に制限がある場合に、個数に限りのある付箋を効率よく使用することができるとともに、ダイヤル押下操作を覚えて操作することで付箋の貼り付けと取り外しを行えるようにして、作業性を向上させることができ、利用性をより一層向上させることができる。
【００４６】
さらに、上記各場合において、例えば、請求項１３に記載するように、前記ページめくり装置は、所定の音声発生手段を備え、先頭ページを前記表示部に表示すると、所定の通知音を前記音声発生手段に発生させるものであってもよい。
【００４７】
上記構成によれば、先頭ページを表示部に表示すると、所定の通知音を音声発生手段に発生させるので、紙の本や書類のように先頭ページが分かり難い電子文書で、先頭ページを表示したことが容易に分かるようにすることができ、特に、物理的に先端／後端のない円運動を行うダイヤルを用いている場合にも、論理的に先端（先頭ページ）が容易に分かるようにすることができ、より一層ページめくり操作を向上させることができる。
【００４８】
また、例えば、請求項１４に記載するように、前記ページめくり装置は、所定の音声発生手段を備え、最終ページを前記表示部に表示すると、所定の通知音を前記音声発生手段に発生させるものであってもよい。
【００４９】
上記構成によれば、最終ページを表示部に表示すると、所定の通知音を音声発生手段に発生させるので、紙の本や書類のように最終ページが分かり難い電子文書で、最終ページを表示したことが容易に分かるようにすることができ、特に、物理的に先端／後端のない円運動を行うダイヤルを用いている場合にも、論理的に後端（最終ページ）が容易に分かるようにすることができ、より一層ページめくり操作を向上させることができる。
【００５０】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００５１】
図１〜図３は、本発明のページめくり装置の第１の実施の形態を示す図であり、本実施の形態は、ボタン式でページめくりを行うもので、請求項１〜請求項７に対応するものである。
【００５２】
図１は、本発明のページめくり装置の第１の実施の形態を適用した電子文書装置１の外観正面図である。
【００５３】
図１において、電子文書装置１は、本体筐体２の表面上部に、表示部３が設けられており、本体筐体２の表面下部に、「１」から「０」テンキーボタン、＊（アスタリスク）ボタン及び＃（パウンド）ボタン等のＰＢ（プッシュボタン）が設けられている。そして、テンキーボタンのうち、「１」から「９」のボタンが破線の四角で示すように、ページめくりボタン４として機能し、「０」のボタンが付箋ボタン５として機能する。また、＊ボタンは、１ページずつページを繰り下げる１ページダウンボタン６として機能し、♯ボタンは、１ページずつページを繰り上げる１ページアップボタン７として機能する。
【００５４】
ページめくりボタン４は、当該「１」から「９」の割り付けられている数値のページＮｏ（ページ番号）にジャンプするためのボタンであり、押下されると、発光する発光機能を有して、発光していない「１」から「９」のいずれかのボタンが押下されるまで発光する。
【００５５】
１ページダウンボタン（＊）６は、押下されることで、表示部３に現在表示されている電子文書のページに対して、１ページ前のページを表示させるためのボタンである。
【００５６】
１ページアップボタン（♯）７は、押下されることで、表示部３に現在表示されている電子文書のページに対して、１ページ後のページを表示させるためのボタンである。
【００５７】
付箋ボタン５は、押下されることで、表示部３に現在表示されているページに付箋を付けるためのボタンであり、また、この付箋ボタン５は、付箋の付いていないページから付箋の付いているページにページジャンプするための機能も有しており、付箋の付いていないページを表示している場合に、ダブルクリックされると、付箋の付いているページにジャンプさせるために使用することができる。
さらに、付箋ボタン５は、付箋の取り外し機能も有しており、付箋の付いているページが表示部３に表示されている場合に、押下することで、当該ページに付いている付箋を取り外すのに使用される。
【００５８】
上記表示部３は、例えば、ＬＣＤ（Ｌｉｑｕｉｄ　Ｃｒｙｓｔａｌ　Ｄｉｓｐｌａｙ）等が用いられており、各種情報の表示、特に、電子文書の表示に用いられる。表示部３は、特に、電子文書をページ単位で表示する。
【００５９】
そして、電子文書装置１は、図２に示すように、本体筐体２内に、ボタンイベント解釈部１１、電子文書ページ制御部１２、関連付け制御部１３及び表示制御部１４等の各モジュールが格納されている。
【００６０】
ボタンイベント解釈部１１には、上記ページめくりボタン４、１ページダウンボタン６、付箋ボタン５及び１ページアップボタン７が接続されており、これらの各ボタン４〜７の押下をトリガーとするボタンイベントを受け取る。ボタンイベント解釈部１１は、受け取ったボタンイベントの論理的な意味を解釈し、ページ操作要求に変換して、電子文書ページ制御部１２及び表示制御部１４に出力する。
【００６１】
電子文書ページ制御部１２は、ボタンイベント解釈部１１からページ操作要求を受け取って解釈し、ページ操作要求に対応するページを特定する。このページ操作要求には、次の６つの要求がある。
【００６２】
▲１▼　ページめくり要求
▲２▼　１ページダウン要求
▲３▼　１ページアップ要求
▲４▼　付箋取り付け要求
▲５▼　付箋取り外し要求
▲６▼　付箋付ページへのジャンプ要求
電子文書ページ制御部１２は、ページ操作要求が「▲１▼ページめくり要求」である場合には、関連付け制御部１３を使用してジャンプするページを特定し、付箋取り付け要求であるときには、付箋を取り付けたページＮｏを記憶し、付箋取り外し要求であるときには、付箋ページとして記憶したページＮｏをクリアする。
【００６３】
関連付け制御部１３は、表示されている電子文書のページ総数と、ページめくりボタンの総数を保持し、また、ボタンイベント解釈部１１及び電子文書ページ制御部１２を介して伝搬されるボタンＮｏと、ページ総数、ページめくりボタンの総数から、表示すべきページＮｏを算出する。
【００６４】
表示制御部１４は、指定されたページＮｏのページを、表示部３に表示させるとともに、表示部３を使用して付箋を表示させ、また、表示部３に表示させている付箋を非表示にさせる。
【００６５】
次に、本実施の形態の作用を説明する。本実施の形態の電子文書装置１は、プッシュ式のボタン４〜７を押下操作することで、簡単にページめくり操作及び付箋操作を行うことができる。
【００６６】
すなわち、従来のページ操作が、図１０に示したように、Ｘ−Ｙの２次元座標のＹ方向へスクロールさせる概念で行われていたのに対して、電子文書装置１は、図３に示すように、ページめくり操作を、電子文書のＺ方向の座標に対する位置決めを行う概念として行っている。
【００６７】
そして、具体的には、電子文書装置１は、図４に示すように、ユーザがボタン押下、すなわち、ユーザが、ページめくりボタン４、付箋ボタン５、１ページダウンボタン６または１ページアップボタン７のいずれかのボタンを押下すると、ボタンイベント解釈部１１は、ボタンイベントとして受け付けて、ページ操作要求に変換して電子文書ページ制御部１２に渡し（ステップＳ１０１）、電子文書ページ制御部１２が、当該ページ操作要求がページめくり要求かどうか、すなわち、ページめくりボタン４の操作かどうかチェックする（ステップＳ１０２）。
【００６８】
電子文書ページ制御部１２は、当該ページ操作要求がページめくり要求であると、関連付け制御部１３を使ってジャンプ先のページＮｏを特定し（ステップＳ１０３）、当該特定したページＮｏを表示制御部１４に渡して、ページ表示の切り換えを指示する。表示制御部１４は、表示部３に、指示されたページＮｏのページを表示させて、処理を終了する（ステップＳ１０４）。
【００６９】
ステップＳ１０２で、ページ操作要求がページめくり要求でないときには、電子文書ページ制御部１２は、１ページダウン要求かどうかチェックする（ステップＳ１０５）。ステップＳ１０５で、ページ操作要求が１ページダウン要求であると、電子文書ページ制御部１２は、表示部３に現在表示されているページＮｏから１ページだけデクリメントして、デクリメントしたページをジャンプ先のページＮｏとして特定し（ステップＳ１０６）、ステップＳ１０４に移行して、特定したページＮｏを表示制御部に渡して、ページ表示の切り換えを指示する。表示制御部１４は、表示部３に、指示されたページＮｏのページを表示させて、処理を終了する（ステップＳ１０４）。
【００７０】
ステップＳ１０５で、ページ操作要求が１ページダウン要求でないときには、電子文書ページ制御部１２は、１ページアップ要求かどうかチェックする（ステップＳ１０７）。ステップＳ１０７で、ページ操作要求が１ページアップ要求であると、電子文書ページ制御部１２は、表示部３に現在表示されているページＮｏから１ページだけインクリメントして、インクリメントしたページをジャンプ先のページＮｏとして特定し（ステップＳ１０８）、ステップＳ１０４に移行して、特定したページＮｏを表示制御部に渡して、ページ表示の切り換えを指示する。表示制御部１４は、表示部３に、指示されたページＮｏのページを表示させて、処理を終了する（ステップＳ１０４）。
【００７１】
ステップＳ１０７で、ページ操作要求が１ページアップ要求でないときには、電子文書ページ制御部１２は、ページ操作要求が付箋付きページへのジャンプ要求かどうか、すなわち、付箋ボタン５のダブルクリックかどうかチェックし（ステップＳ１０９）、ページ操作要求が付箋付きページへのジャンプ要求であると、付箋付きページＮｏが保存されているかチェックする（ステップＳ１１０）。
ステップＳ１１０で、付箋付きページＮｏが保存されているときには、電子文書ページ制御部１２は、保存されているページＮｏをジャンプ先のページＮｏとして特定し（ステップＳ１１１）、ステップＳ１０４に移行して、特定したページＮｏを表示制御部に渡して、ページ表示の切り換えを指示する。表示制御部１４は、表示部３に、指示されたページＮｏのページを表示させて、処理を終了する（ステップＳ１０４）。
【００７２】
ステップＳ１１０で、付箋付きページＮｏが保存されていないときには、電子文書ページ制御部１２は、ジャンプ先のページＮｏを特定することができないため、当該要求を無視する。
【００７３】
ステップＳ１０９で、ページ操作要求が付箋付きページへのジャンプ要求でないときには、電子文書ページ制御部１２は、ページ操作要求が付箋取付要求であるかチェックし（ステップＳ１１２）、ページ操作要求が付箋取付要求であると、表示部３に現在表示されているページに既に付箋が付いているかどうかチェックする（ステップＳ１１３）。ステップＳ１１３で、現在のページに既に付箋が付いていると、電子文書ページ制御部１２は、当該要求を無視し、現在のページに付箋が付いていないときには、表示制御部１４に渡して、現在表示しているページに付箋を表示するよう指示するとともに、当該ページＮｏを付箋付きページＮｏとして保存する（ステップＳ１１４）。
【００７４】
ステップＳ１１２で、ページ操作要求が付箋取付要求でないときには、電子文書ページ制御部１２は、ページ操作要求が付箋取り外し要求かチェックし（ステップＳ１１５）、ページ操作要求が付箋取り外し要求のときには、表示部３に現在表示されているページに既に付箋が付いているかどうかチェックする（ステップＳ１１６）。ステップＳ１１６で、現在のページに既に付箋が付いていると、電子文書ページ制御部１２は、表示制御部１４に渡して、現在表示しているページの付箋を非表示にするよう指示するとともに、当該ページＮｏを付箋付きページＮｏから解放する（ステップＳ１１７）。ステップＳ１１６で、現在のページに付箋が付いていないときには、電子文書ページ制御部１２は、当該要求を無視する。
【００７５】
そして、ステップＳ１１５で、ページ操作要求が付箋取り外し要求でもないときには、電子文書ページ制御部１２は、当該ボタン操作をエラーとして処理する。
【００７６】
このように、本実施の形態の電子文書装置１は、複数ページからなる文書情報を、複数のプッシュ式ボタン４〜７の押下に基づいて、表示部３に表示するに際して、複数のボタン４〜７に電子文書の任意のページ番号（ページＮｏ）を関連付け、ボタン４〜７が押下されると、当該ボタン４〜７に関連付けられているページ番号のページを表示部３に表示している。
【００７７】
したがって、新たにページめくり用のボタンを設けることなく、既存のボタン４〜７を利用して、電子文書のページを利用者の意図するページに速やかにかつ簡単にジャンプして表示させることができ、安価に利用性を向上させることができる。
【００７８】
また、本実施の形態の電子文書装置１は、各ボタン４〜７、特に、ページめくリボタン４に、押下されることで、発光する機能を持たせている。
【００７９】
したがって、電子文書の総ページ数に対して、現在見開いている位置を発光するボタンで識別することができ、利用性をより一層向上させることができる。
【００８０】
さらに、本実施の形態の電子文書装置１は、複数のボタンのうち＊（アスタリスク）ボタンと＃（パウンド）ボタンに、電子文書を１ページずつめくる１ページめくり機能を割り付けて、１ページダウンボタン６及び１ページアップボタン７としている。
【００８１】
したがって、電子文書のページを大ざっぱに見開いた後に、ページ単位に順次ページをめくることができ、利用性をより一層向上させることができる。
【００８２】
また、本実施の形態の電子文書装置１は、複数のボタンのうち「０」のボタンに、表示部３に表示されているページに対して、付箋を付与する付箋付与機能を割り付けて付箋ボタン５としている。
【００８３】
したがって、紙の本や書類のページに付箋紙を貼り付ける感覚で、電子文書の印象に残ったページや重要度の高いページに付箋を付与して保管することができ、利用性をより一層向上させることができる。
【００８４】
さらに、本実施の形態の電子文書装置１は、複数のボタンのうち「０」のボタンである付箋ボタン５に、付箋の付与されているページを表示部３に表示させる付箋付与ページ表示機能を割り付けている。
【００８５】
したがって、付箋を付けた印象に残ったページや重要度の高いページに効率的にかつ速やかにジャンプして表示することができ、利用性をより一層向上させることができる。
【００８６】
また、本実施の形態の電子文書装置１は、付箋付与機能の割り付けられている付箋ボタン５に、付箋の付与されているページから当該付箋を取り外す付箋取り外し機能も割り付け、当該ボタンが押下されると、表示部３に表示されているページに対して、付箋の付与と取り外しを交互に行っている。
【００８７】
したがって、付箋の数に制限がある場合に、個数に限りのある付箋を効率よく使用することができるとともに、１つのボタンを付箋用として覚えて操作することで付箋の貼り付けと取り外しを行えるようにして、作業性を向上させることができ、利用性をより一層向上させることができる。
【００８８】
さらに、上記実施の形態において、ページめくりボタン４に対するページめくりのページＮｏの関連づけは、上述のようなページめくりボタン４の当該ボタンの「１」から「９」の割り付けられている数値のページＮｏへのジャンプへの関連付けに限るものではなく、ページめくりボタン４とジャンプするページＮｏとの関連づけのアルゴリズムとしては、以下のようなものであってもよく、このようなページめくりボタン４とジャンプするページＮｏとの関連づけのアルゴリズムを適宜設定して、関連付け制御部１３に格納することで、適宜の関連づけを行うことができる。
【００８９】
例えば、ページめくりボタン４とジャンプするページＮｏとの関連づけのアルゴリズムを、以下のルールとして設定することができる。
【００９０】
ルール１：第１ボタンは、ページＮｏ１が無条件に割り付けられる
ルール２：最終ボタンは、最終ページＮｏが無条件に割り付けられる
ルール３：その他のボタンは、以下の式で割り付けられる
割り付けられるページＮｏ＝ページ総数／ボタン総数＊ボタンＮｏ
このようなアルゴリズムが設定されている場合、上記「１」〜「９」の９個のボタンを有するページめくりボタン４で、総ページ数が９０ページ（ページＮｏは、１〜９０）の電子文書のページめくり操作を行うと、ページめくりボタン４の各ボタンの操作は、以下のようになる。
【００９１】
ボタン１→ルール１によりページＮｏ１が割り付けられる
ボタン２→ルール３によりページＮｏ２０が割り付けられる
ボタン３→ルール３によりページＮｏ３０が割り付けられる
ボタン４→ルール３によりページＮｏ４０が割り付けられる
ボタン５→ルール３によりページＮｏ５０が割り付けられる
ボタン６→ルール３によりページＮｏ６０が割り付けられる
ボタン７→ルール３によりページＮｏ７０が割り付けられる
ボタン８→ルール３によりページＮｏ８０が割り付けられる
ボタン９→ルール２によりページＮｏ９０が割り付けられる
このようにページめくりボタン４の総数と電子文書の総ページ数とを相対的に対応させて、複数のページめくりボタン４に電子文書のページ番号を関連付けると、電子文書の総ページに対して、「先頭付近」、「中間付近」、「後方付近」といった相対的なページ位置を表させることができ、紙文書に対する手作業の「見開き」的な操作を可能として、利用性をより一層向上させることができる。
【００９２】
図５〜図９は、本発明のページめくり装置の第２の実施の形態を示す図であり、本実施の形態は、ダイヤル式でページめくりを行うもので、請求項８〜請求項１４に対応するものである。
【００９３】
図５は、本発明のページめくり装置の第２の実施の形態を適用した電子文書装置２０の外観正面図である。
【００９４】
図５において、電子文書装置２０は、本体筐体２１の表面上部に、表示部２２が設けられており、表示部２２のさらに上部に、スピーカ２３が設けられている。また、電子文書装置２０は、本体筐体２１の表面下部に、「１」から「０」テンキーボタン２４、＊（アスタリスク）ボタン２５及び＃（パウンド）ボタン２６等のＰＢ（プッシュボタン）が設けられており、本体筐体２１の側面に、回転可能で、かつ、本体筐体２１方向への押し下げ可能なページめくりダイヤル２７が設けられている。
【００９５】
ページめくりダイヤル２７は、各ダイヤル位置に割り付けられた任意のページＮｏへジャンプするためのダイヤルであり、ユーザの回転操作によって、ページめくりダイヤル２７の回転位置に割り付けられたページにジャンプして、ページを見開くためのものである。また、ページめくりダイヤル２７は、本体筐体２１方向へのシングルクリック（１回の押し下げ）により現在表示されているページに付箋を付けることができ、また、付箋の付いていないページから付箋の付いたページへジャンプする機能も兼ね備えている。すなわち、ページめくりダイヤル２７は、付箋の付いていないページを表示しているときに、ダブルクリックすることで、付箋の付いたページにジャンプするために使用される。さらに、ページめくりダイヤル２７は、付箋の付いているページから付箋を取り外す機能も備えており、付箋の付いたページを表示しているときに、シングルクリックすることで、付箋を取り外すために使用される。
【００９６】
ページめくりダイヤル２７は、例えば、図６に示すように、５つのダイヤル位置を有しており、ダイヤル位置１は、電子文書全ページのうち、先頭ページ目を見開くために使用するダイヤル位置である。ダイヤル位置２は、電子文書全ページのうち、２５％目のページを見開くために使用するダイヤル位置であり、ダイヤル位置３は、電子文書全ページのうち、５０％目のページを見開くために使用するダイヤル位置である。また、ダイヤル位置４は、電子文書全ページのうち、７５％目のページを見開くために使用するダイヤル位置であり、ダイヤル位置５は、電子文書全ページのうち、最終ページ目を見開くために使用するダイヤル位置である。
【００９７】
上記表示部２２は、例えば、ＬＣＤ（Ｌｉｑｕｉｄ　Ｃｒｙｓｔａｌ　Ｄｉｓｐｌａｙ）が用いられており、各種情報の表示、特に、電子文書の表示に用いられる。表示部２２は、特に、電子文書をページ単位で表示する。
【００９８】
スピーカ２３は、表示部２２に、先頭ページが表示された場合、または、最終ページが表示された場合に通知音を発生する。
【００９９】
そして、電子文書装置２０は、図７に示すように、本体筐体２１内に、ダイヤルイベント解釈部３１、電子文書ページ制御部３２、関連付け制御部３３及び表示制御部３４等の各モジュールが格納されている。
【０１００】
ダイヤルイベント解釈部３１には、ページめくりダイヤル２７が接続されており、ページめくりダイヤル２７の回転と押下（シングルクリックとダブルクリック）をトリガーとするダイヤルイベントを受け取る。ダイヤルイベント解釈部３１は、受け取ったボタンイベントの論理的な意味を解釈し、ページ操作要求に変換して、電子文書ページ制御部３２及び表示制御部３４に出力する。
【０１０１】
電子文書ページ制御部３２は、ダイヤルイベント解釈部３１からページ操作要求を受け取って解釈し、ページ操作要求に対応するページを特定する。このページ操作要求には、次の４つの要求がある。
【０１０２】
▲１▼　ページめくり要求
▲２▼　付箋取り付け要求
▲３▼　付箋取り外し要求
▲４▼　付箋付ページへのジャンプ要求
電子文書ページ制御部３２は、ページ操作要求が「▲１▼ページめくり要求」である場合には、関連付け制御部３３を使用してジャンプするページを特定し、付箋取り付け要求であるときには、付箋を取り付けたページＮｏを記憶し、付箋取り外し要求であるときには、付箋ページとして記憶したページＮｏをクリアする。
【０１０３】
関連付け制御部３３は、表示されている電子文書のページ総数と、ページめくりダイヤル２７のダイヤル位置の総数を保持し、また、ダイヤルイベント解釈部３１及び電子文書ページ制御部３２を介して伝搬されるダイヤル位置と、ページ総数、ページめくりダイヤル２７のダイヤル位置の総数から、ジャンプすべきページＮｏを算出する。
【０１０４】
表示制御部３４は、指定されたページＮｏのページを、表示部２２に表示させるとともに、表示部２２を使用して付箋を表示させ、また、表示部２２に表示させている付箋を非表示にさせる。表示制御部３４は、さらに、スピーカ２３の駆動を制御し、所定の通知音を発行する。
【０１０５】
次に、本実施の形態の作用を説明する。本実施の形態の電子文書装置２０は、ページめくりダイヤル２７を回転操作、押下操作操作することで、簡単にページめくり操作及び付箋操作を行うことができる。
【０１０６】
すなわち、従来のページ操作が、図８の左側に示すように、Ｘ−Ｙの２次元座標のＹ方向へスクロールさせる概念で行われていたのに対して、電子文書装置２０は、図８の右側に示すように、ページめくり操作を、電子文書のＺ方向の座標に対する位置決めを行う概念として行っている。
【０１０７】
そして、具体的には、電子文書装置２０は、図９に示すように、ユーザがダイヤル操作を行うと、ダイヤルイベント解釈部３１は、ダイヤルイベントとして受け付けて、ページ操作要求に変換して、電子文書ページ制御部３２に渡し（ステップＳ２０１）、電子文書ページ制御部３２が、当該ページ操作要求がページめくり要求かどうかチェックする（ステップＳ２０２）。
【０１０８】
電子文書ページ制御部３２は、ページ操作要求がページめくり要求であると、関連付け制御部３３を使ってジャンプ先のページＮｏを特定し（ステップＳ２０３）、当該特定したページＮｏを表示制御部３４に渡して、ページ表示の切り換えを指示する。表示制御部３４は、表示部２２に、指示されたページＮｏのページを表示させ（ステップＳ２０４）、当該指定されたページＮｏが先頭ページであるかチェックする（ステップＳ２０５）。表示制御部３４は、指定されたページＮｏが先頭ページであると、スピーカ２３を駆動させて、先頭ページである旨の通知音を発行させ、処理を終了する（ステップＳ２０６）。
【０１０９】
ステップＳ２０５で、指定されたページＮｏが先頭ページでないときには、表示制御部３４は、指定されたページＮｏが最終ページであるかチェックし（ステップＳ２０７）、最終ページであるときには、スピーカ２３を駆動させて、最終ページである旨の通知音を発行させ、処理を終了する（ステップＳ２０６）。ステップＳ２０７で、指定されたページＮｏが最終ページでないときには、表示制御部３４は、通知音を発行することなく、そのまま処理を終了する。
【０１１０】
ステップＳ２０２で、ページ操作要求がページめくり要求でないときには、電子文書ページ制御部３２は、ページ操作要求が付箋付きページへのジャンプ要求かどうか、すなわち、ページめくりダイヤル２７のダブルクリックかどうかチェックし（ステップＳ２０８）、付箋付きページへのジャンプ要求であると、付箋付きページＮｏが保存されているかチェックする（ステップＳ２０９）。ステップＳ２０９で、付箋付きページＮｏが保存されているときには、電子文書ページ制御部３２は、保存されているページＮｏをジャンプ先のページＮｏとして特定し（ステップＳ２１０）、ステップＳ２０４に移行して、特定したページＮｏを表示制御部３４に渡して、ページ表示の切り換えを指示する。表示制御部３４は、上述のように、指示されたページＮｏのページを表示させるとともに（ステップＳ２０４）、指定ページＮｏが先頭ページであるか、最終ページであるかをチェックして、先頭ページまたは最終ページであると、通知音をスピーカ２３に発行させる処理を行う（ステップＳ２０５〜Ｓ２０７）。
【０１１１】
ステップＳ２０９で、付箋付きページＮｏが保存されていないときには、電子文書ページ制御部３２は、ジャンプ先のページＮｏを特定することができないため、当該要求を無視する。
【０１１２】
ステップＳ２０８で、ページ操作要求が付箋付きページへのジャンプ要求でないときには、電子文書ページ制御部３２は、ページ操作要求が付箋取付要求であるかチェックし（ステップＳ２１１）、ページ操作が付箋取付要求であると、表示部２２に現在表示されているページに既に付箋が付いているかどうかチェックする（ステップＳ２１２）。ステップＳ２１２で、現在のページに既に付箋が付いていると、電子文書ページ制御部３２は、当該要求を無視し、現在のページに付箋が付いていないときには、表示制御部３４に渡して、現在表示しているページに付箋を表示するよう指示するとともに、当該ページＮｏを付箋付きページＮｏとして保存する（ステップＳ２１３）。
【０１１３】
ステップＳ２１１で、ページ操作要求が付箋取付要求でないときには、電子文書ページ制御部３２は、ページ操作要求が付箋取り外し要求かチェックし（ステップＳ２１４）、ページ操作が付箋取り外し要求のときには、表示部２２に現在表示されているページに既に付箋が付いているかどうかチェックする（ステップＳ２１５）。ステップＳ２１５で、現在のページに既に付箋が付いていると、電子文書ページ制御部３２は、表示制御部３４に渡して、現在表示しているページの付箋を非表示にするよう指示するとともに、当該ページＮｏを付箋付きページＮｏから解放する（ステップＳ２１６）。ステップＳ２１５で、現在のページに付箋が付いていないときには、電子文書ページ制御部３２は、当該要求を無視する。
【０１１４】
そして、ステップＳ２１４で、ページ操作要求が付箋取り外し要求でもないときには、電子文書ページ制御部３２は、当該ページめくりダイヤル２７の操作をエラーとして処理する。
【０１１５】
なお、上記実施の形態で説明した、先頭ページと最終ページを表示した際に、通知音を発生する処理は、上記第１の実施の形態のボタン４〜７をページめくり操作として利用する場合にも、同様に適用することができる。
【０１１６】
このように、本実施の形態の電子文書装置２０は、複数ページからなる文書情報を、複数の回転位置を有するダイヤル２７の回転に基づいて、表示部２２に表示するに際して、ページめくりダイヤル２７の複数の回転位置に電子文書の任意のページ番号を関連付け、ページめくりダイヤル２７が回転されると、ページめくりダイヤル２７の回転位置に関連付けられているページ番号のページを表示部２２に表示している。
【０１１７】
したがって、新たにページめくり用のダイヤルを設けることなく、既存のジョグダイヤル等をページめくリダイヤル２７として利用して、電子文書のページを利用者の意図するページに速やかにかつ簡単にジャンプして表示させることができ、安価に利用性を向上させることができる。
【０１１８】
また、本実施の形態の電子文書装置２０は、ページめくリダイヤル２７を、所定方向（本体筐体２１の方向）に押下可能とし、ページめくリダイヤル２７の押下操作に対して、表示部２２に表示されているページに付箋を付与する付箋付与機能を割り付けている。
【０１１９】
したがって、紙の本や書類のページに付箋紙を貼り付ける感覚で、電子文書の印象に残ったページや重要度の高いページに付箋を付与して保管することができ、利用性をより一層向上させることができる。
【０１２０】
さらに、本実施の形態の電子文書装置２０は、付箋付与機能の割り付けられているページめくリダイヤル２７の所定の押下操作に対して、付箋の付与されているページを表示部２２に表示させる付箋付与ページ表示機能を割り付けている。
【０１２１】
したがって、付箋を付けた印象に残ったページや重要度の高いページに効率的にかつ速やかにジャンプして表示することができ、利用性をより一層向上させることができる。
【０１２２】
また、本実施の形態の電子文書装置２０は、付箋付与機能の割り付けられているページめくリダイヤル２７の押下操作に対して、付箋の付与されているページから当該付箋を取り外す付箋取り外し機能も割り付け、ページめくリダイヤル２７の押下操作が行われると、表示部２２に表示されているページに対して、付箋の付与と取り外しを交互に行っている。
【０１２３】
したがって、付箋の数に制限がある場合に、個数に限りのある付箋を効率よく使用することができるとともに、ページめくリダイヤル２７の押下操作を覚えて操作することで付箋の貼り付けと取り外しを行えるようにして、作業性を向上させることができ、利用性をより一層向上させることができる。
【０１２４】
さらに、上記各実施の形態においては、先頭ページを表示部３、２２に表示すると、所定の通知音を発生させている。
【０１２５】
したがって、紙の本や書類のように先頭ページが分かり難い電子文書で、先頭ページを表示したことが容易に分かるようにすることができ、特に、物理的に先端／後端のない円運動を行うダイヤルを用いている場合にも、論理的に先端（先頭ページ）が容易に分かるようにすることができ、より一層ページめくり操作を向上させることができる。
【０１２６】
また、上記各実施の形態において、最終ページを表示すると、所定の通知音を発生させている。
【０１２７】
したがって、紙の本や書類のように最終ページが分かり難い電子文書で、最終ページを表示したことが容易に分かるようにすることができ、特に、物理的に先端／後端のない円運動を行うダイヤルを用いている場合にも、論理的に後端（最終ページ）が容易に分かるようにすることができ、より一層ページめくり操作を向上させることができる。
【０１２８】
また、上記実施の形態において、ページめくりダイヤル２７に対するページめくりのページＮｏの関連づけは、上述のようなページめくりダイヤル２７のダイヤル位置の割り付けられているページＮｏへのジャンプとしての関連付けに限るものではなく、ページめくりダイヤル２７のダイヤル位置とジャンプするページＮｏとの関連づけのアルゴリズムとしては、以下のようなものであってもよく、このようなページめくりダイヤル２７のダイヤル位置とジャンプするページＮｏとの関連づけのアルゴリズムを適宜設定して、関連付け制御部３３に格納することで、適宜の関連づけを行うことができる。
【０１２９】
例えば、ページめくりダイヤル２７のダイヤル位置とジャンプするページＮｏとの関連づけのアルゴリズムを、以下のルールとして設定することができる。
【０１３０】
ルール１：先頭ダイヤル位置は、先頭ページが無条件に割り付けられる
ルール２：最終ダイヤル位置は、最終ページが無条件に割り付けられる
ルール３：その他のダイヤル位置は、以下の式で割り付けられる
割り付けられるページＮｏ＝ページ総数／（ダイヤル位置総数−１）
＊（ダイヤル位置Ｎｏ−１）
このようなアルゴリズムが設定されている場合、上記図６に示したダイヤル位置１〜ダイヤル位置５の５個のダイヤル位置を有するページめくりダイヤル２７で、総ページ数が１００ページ（ページＮｏは、１〜１００）の電子文書のページめくり操作を行うと、ページめくりダイヤル２７の各ダイヤル位置への操作は、以下のようになる。
【０１３１】
ダイヤル位置１→ルール１によりページＮｏ１が割り付けられる
ダイヤル位置２→ルール３によりページＮｏ２５が割り付けられる
ダイヤル位置３→ルール３によりページＮｏ５０が割り付けられる
ダイヤル位置４→ルール３によりページＮｏ７５が割り付けられる
ダイヤル位置５→ルール２によりページＮｏ１００が割り付けられる
このように、ダイヤルの回転位置の総数と電子文書の総ページ数とを相対的に対応させて、ダイヤルの複数の回転位置に電子文書のページ番号を関連付けているので、電子文書の総ページに対して、「先頭付近」、「中間付近」、「後方付近」といった相対的なページ位置を表させることができ、紙文書に対する手作業の「見開き」的な操作を可能として、利用性をより一層向上させることができる。
【０１３２】
以上、本発明者によってなされた発明を好適な実施の形態に基づき具体的に説明したが、本発明は上記のものに限定されるものではなく、その要旨を逸脱しない範囲で種々変更可能であることはいうまでもない。
【０１３３】
【発明の効果】
請求項１記載の発明のページめくり装置によれば、複数ページからなる文書情報を、複数のプッシュ式ボタンの押下に基づいて、表示部に表示するに際して、複数のボタンに電子文書の任意のページ番号を関連付け、ボタンが押下されると、当該ボタンに関連付けられているページ番号のページを表示部に表示するので、新たにページめくり用のボタンを設けることなく、既存のボタンを利用して、電子文書のページを利用者の意図するページに速やかにかつ簡単にジャンプして表示させることができ、安価に利用性を向上させることができる。
【０１３４】
請求項２記載の発明のページめくり装置によれば、ボタンの総数と電子文書の総ページ数とを相対的に対応させて、複数のボタンに電子文書のページ番号を関連付けるので、電子文書の総ページに対して、「先頭付近」、「中間付近」、「後方付近」といった相対的なページ位置を表させることができ、紙文書に対する手作業の「見開き」的な操作を可能として、利用性をより一層向上させることができる。
【０１３５】
請求項３記載の発明のページめくり装置によれば、各ボタンに、押下されることで、発光する機能を持たせているので、電子文書の総ページ数に対して、現在見開いている位置を発光するボタンで識別することができ、利用性をより一層向上させることができる。
【０１３６】
請求項４記載の発明のページめくり装置によれば、複数のボタンのうち任意のボタンに、電子文書を１ページずつめくる１ページめくり機能を割り付けるので、電子文書のページを大ざっぱに見開いた後に、ページ単位に順次ページをめくることができ、利用性をより一層向上させることができる。
【０１３７】
請求項５記載の発明のページめくり装置によれば、複数のボタンのうち任意のボタンに、表示部に表示されているページに対して、付箋を付与する付箋付与機能を割り付けているので、本のページに付箋紙を貼り付ける感覚で、電子文書の印象に残ったページや重要度の高いページに付箋を付与して保管することができ、利用性をより一層向上させることができる。
【０１３８】
請求項６記載の発明のページめくり装置によれば、複数のボタンのうち任意のボタンに、付箋の付与されているページを表示部に表示させる付箋付与ページ表示機能を割り付けているので、付箋を付けた印象に残ったページや重要度の高いページに効率的にかつ速やかにジャンプして表示することができ、利用性をより一層向上させることができる。
【０１３９】
請求項７記載の発明のページめくり装置によれば、付箋付与機能の割り付けられているボタンに、付箋の付与されているページから当該付箋を取り外す付箋取り外し機能も割り付け、当該ボタンが押下されると、表示部に表示されているページに対して、付箋の付与と取り外しを交互に行うので、付箋の数に制限がある場合に、個数に限りのある付箋を効率よく使用することができるとともに、１つのボタンを付箋用として覚えて操作することで付箋の貼り付けと取り外しを行えるようにして、作業性を向上させることができ、利用性をより一層向上させることができる。
【０１４０】
請求項８記載の発明のページめくり装置によれば、複数ページからなる文書情報を、複数の回転位置を有するダイヤルの回転に基づいて、表示部に表示するに際して、ダイヤルの複数の回転位置に電子文書の任意のページ番号を関連付け、ダイヤルが回転されると、当該ダイヤルの回転位置に関連付けられているページ番号のページを表示部に表示するので、新たにページめくり用のダイヤルを設けることなく、既存のジョグダイヤル等を利用して、電子文書のページを利用者の意図するページに速やかにかつ簡単にジャンプして表示させることができ、安価に利用性を向上させることができる。
【０１４１】
請求項９記載の発明のページめくり装置によれば、ダイヤルの回転位置の総数と電子文書の総ページ数とを相対的に対応させて、ダイヤルの複数の回転位置に電子文書のページ番号を関連付けているので、電子文書の総ページに対して、「先頭付近」、「中間付近」、「後方付近」といった相対的なページ位置を表させることができ、紙文書に対する手作業の「見開き」的な操作を可能として、利用性をより一層向上させることができる。
【０１４２】
請求項１０記載の発明のページめくり装置によれば、ダイヤルを、所定方向に押下可能とし、当該ダイヤルの押下操作に対して、表示部に表示されているページに付箋を付与する付箋付与機能が割り付けているので、本のページに付箋紙を貼り付ける感覚で、電子文書の印象に残ったページや重要度の高いページに付箋を付与して保管することができ、利用性をより一層向上させることができる。
【０１４３】
請求項１１記載の発明のページめくり装置によれば、付箋付与機能の割り付けられているダイヤルの所定の押下操作に対して、付箋の付与されているページを表示部に表示させる付箋付与ページ表示機能を割り付けているので、付箋を付けた印象に残ったページや重要度の高いページに効率的にかつ速やかにジャンプして表示することができ、利用性をより一層向上させることができる。
【０１４４】
請求項１２記載の発明のページめくり装置によれば、付箋付与機能の割り付けられているダイヤルの押下操作に対して、付箋の付与されているページから当該付箋を取り外す付箋取り外し機能も割り付け、当該ダイヤルの押下操作が行われると、表示部に表示されているページに対して、付箋の付与と取り外しを交互に行うので、付箋の数に制限がある場合に、個数に限りのある付箋を効率よく使用することができるとともに、ダイヤル押下操作を覚えて操作することで付箋の貼り付けと取り外しを行えるようにして、作業性を向上させることができ、利用性をより一層向上させることができる。
【０１４５】
請求項１３記載の発明のページめくり装置によれば、先頭ページを表示部に表示すると、所定の通知音を音声発生手段に発生させるので、紙の本や書類のように先頭ページが分かり難い電子文書で、先頭ページを表示したことが容易に分かるようにすることができ、特に、物理的に先端／後端のない円運動を行うダイヤルを用いている場合にも、論理的に先端（先頭ページ）が容易に分かるようにすることができ、より一層ページめくり操作を向上させることができる。
【０１４６】
請求項１４記載の発明のページめくり装置によれば、最終ページを表示部に表示すると、所定の通知音を音声発生手段に発生させるので、紙の本や書類のように最終ページが分かり難い電子文書で、最終ページを表示したことが容易に分かるようにすることができ、特に、物理的に先端／後端のない円運動を行うダイヤルを用いている場合にも、論理的に後端（最終ページ）が容易に分かるようにすることができ、より一層ページめくり操作を向上させることができる。
【図面の簡単な説明】
【図１】本発明のページめくり装置の第１の実施の形態を適用した電子文書装置の外観正面図。
【図２】図１の電子文書装置の回路ブロック構成図。
【図３】図１の電子文書装置によるページめくりの概念図。
【図４】図１の電子文書装置によるページめくり処理及び付箋処理を示すフローチャート。
【図５】本発明のページめくり装置の第２の実施の形態を適用した電子文書装置の外観正面図。
【図６】図１のページめくりダイヤルのダイヤル位置の割り付け位置の説明図。
【図７】図５の電子文書装置の回路ブロック構成図。
【図８】図１５の電子文書装置によるページめくりの概念を従来のページめくりの概念と比較して示す図。
【図９】図５の電子文書装置によるページめくり処理及び付箋処理を示すフローチャート。
【図１０】従来の電子文書のページめくりの概念図。
【符号の説明】
１　電子文書装置
２　本体筐体
３　表示部
４　ページめくりボタン
５　付箋ボタン
６　１ページダウンボタン
７　１ページアップボタン
１１　ボタンイベント解釈部
１２　電子文書ページ制御部
１３　関連付け制御部
１４　表示制御部
２０　電子文書装置
２１　本体筐体
２２　表示部
２３　スピーカ
２４　テンキーボタン
２５　アスタリスクボタン
２６　パウンドボタン
２７　ページめくりダイヤル
３１　ダイヤルイベント解釈部
３２　電子文書ページ制御部
３３　関連付け制御部
３４　表示制御部
【図１】
2004054423.tif 000003
【図２】
2004054423.tif 000004
【図３】
2004054423.tif 000005
【図４】
2004054423.tif 000006
【図５】
2004054423.tif 000007
【図６】
2004054423.tif 000008
【図７】
2004054423.tif 000009
【図８】
2004054423.tif 000010
【図９】
2004054423.tif 000011
【図１０】
2004054423.tif 000012